(57)【要約】【課題】ペット用おむつをペットの体に密着させ、ペット用おむつ自体のずれを防止することができ、外出用としても見栄えが良く、ペットの糞尿による汚れが生じた場合でも、洗濯や交換が容易なペット用おむつカバーを提供する。【解決手段】ペット用おむつ後半身を被包しペットの尻尾が貫通する尻尾貫通孔およびペットの後肢が貫通する後肢貫通孔を具える後半身カバーと、ペットの前半身を被包しペットの頭部が貫通する首部貫通孔およびペットの前肢が貫通する前肢貫通孔を具え前記おむつカバー部に重ね合わされる前半身カバーと、前記ペット用おむつと前記前半身カバーとを連結する帯状の連結ベルトと、からなり、前記後半身カバーおよび前記前半身カバーは着脱自在かつ重ね合わせ長さが調整可能に固着され、前記連結ベルトの連結長さは調整可能であってその一端は前記ペット用おむつの前縁部を挟持する挟持具を具える構成とした。【選択図】図１
2011109946.tif 000002
【特許請求の範囲】
【請求項１】
ペット用おむつおよび／またはペットの後半身を被包し、ペットの尻尾が貫通する尻尾貫通孔およびペットの後肢が貫通する後肢貫通孔を具える後半身カバーと、
ペットの前半身を被包し、ペットの頭部が貫通する首部貫通孔およびペットの前肢が貫通する前肢貫通孔を具え、前記おむつカバー部に重ね合わされる前半身カバーと、
前記ペット用おむつと前記前半身カバーとを連結する帯状の連結ベルトと、からなり、
前記後半身カバーと前記前半身カバーとは着脱自在かつ重ね合わせ長さが調整可能に固着され、
前記連結ベルトの連結長さは調整可能であってその一端は前記ペット用おむつの前縁部を挟持する挟持具を具えている、ことを特徴とする二部式ペット用おむつカバー。
【請求項２】
前記後半身カバーおよび前記前半身カバーはペットの背中側および／またはペットの腹側のそれぞれに固着された雌雄一対からなる係着子により互いに着脱自在に係着され、該係着子の係着位置を変えることにより該後半身カバーと該前半身カバーとの重ね合せ長さの調整が可能である、ことを特徴とする請求項１に記載の二部式ペット用おむつカバー。
【請求項３】
前記連結ベルトの他端は雌雄一対からなる係着子を介して前記前半身カバーの裏面に着脱自在に係着される、ことを特徴とする請求項１または請求項２に記載の二部式ペット用おむつカバー。
【請求項４】
前記連結ベルトの他端は前記前半身カバーに貫設された連結ベルト通し孔を貫通して雌雄一対からなる係着子を介して該前半身カバーの表面に着脱自在に係着されている、ことを特徴とする請求項１または請求項２に記載の二部式ペット用おむつカバー。
【請求項５】
前記連結ベルトの他端は前記前半身カバーの裏面または表面に固着されたベルト通しを貫通して折り返されて該連結ベルト自体に雌雄一対からなる係着子を介して係着されるとともに連結長さが調整可能である、ことを特徴とする請求項１ないし請求項４のいずれかに記載の二部式ペット用おむつカバー。
【請求項６】
前記連結ベルトの他端は前記前半身カバーの裏面または表面に固着された雌雄一対の係着子のいずれか一方と前記連結ベルトの他端に固着された雌雄一対の係着子のいずれか他方とが互いに係着されるとともに連結長さが調整可能である、ことを特徴とする請求項１ないし請求項４のいずれかに記載の二部式ペット用おむつカバー。
【請求項７】
前記連結ベルトは伸縮性のある材料で形成されている、ことを特徴とする請求項１ないし請求項６のいずれかに記載の二部式ペット用おむつカバー。
【請求項８】
少なくとも前記前半身カバーの首部貫通孔まわりは伸縮性のある材料で形成されている、ことを特徴とする請求項１ないし請求項７のいずれかに記載の二部式ペット用おむつカバー。
【発明の詳細な説明】
【技術分野】
【０００１】
本発明は、ペット用おむつおよび／またはペットの尻部を被包するペット用おむつカバーに関する。
【背景技術】
【０００２】
室内で飼育される犬、猫等のペットが、高齢化や事故あるいは病気等によって寝たきりの状態となったり、体力の衰えにより介護を要する状態となったりしたときには、ペットが排泄する糞尿等のまき散らしを防止し、かつ、ペットの生活環境を清潔な状態に保つ必要が生ずる。
【０００３】
そのため、ペットが排泄する糞尿等のまき散らしを防止するために、必要に応じて、飼い主はペットの体型にあった市販のペット用おむつを購入し、あるいは市販のペット用シートを適度の大きさに切断して、ペットに装着する。
【０００４】
しかし、市販のペット用おむつやペット用シートは、ペットに装着してもペットが後足で外してしまったり、動き回るペットにより位置がずれてしまったりする場合がある。ことに、雄のペットの場合にはペット用の紙おむつの位置がずれると、小便排出部がペット用おむつやペット用シートから飛び出すといった不具合が生じることがある。このような不具合を解消するために、各種のおむつカバーが提案されていて、たとえば、実用新案登録第３０８１４８１号公報や特開２００６−２６２８８０号公報に開示のものがある。
【０００５】
実用新案登録第３０８１４８１号公報に開示のペット用おむつカバーは「ペットに容易に装着することができ、装着してペット用おむつシートをペットの体表面に十分に密着させ、ペット用おむつシートによる汚物の吸収性を十分に発揮して汚物を保持するとともに、汚物を外部に漏らすことがない、ペット用おむつカバーの提供」を目的としていて、この目的を達成するために「ペットの後胴体上部に配設され、尻尾用貫通孔を有する後胴上カバー部と、該後胴上カバー部の後端に連設され、ペットの股下に配設される股下カバー部と、該股下カバー部の前端から左右に延設された左腹カバー部と右腹カバー部とを有し、該左腹カバー部および右腹カバー部の先端に設けられた左端係合部および右端係合部が着脱自在に係合する胴上係合部が、前記後胴上カバー部の前端に設けられ、前記股下カバ−部の後部内側におむつ装着部を有し、おむつ装着部の左右両縁辺に汚物漏れ止め部を有する」構成としたものである。
また、特開２００６−２６２８８０号公報に開示のペット用おむつカバーは「両足、尾に自由度のある専用の穴部を設け、後足、尾等の穴部の周りにゴム等を通して体にフィットさせ、動いても尿等が漏れなく、且つ市販のおむつをそのまま使用できコストダウンが図れるペット用おむつカバーの提供」を目的としていて、この目的を達成するために「前足穴部を持つ胴部シートとペットの肛門部を露出するように長目の切れ目状の尾穴部を有する尻部シートとの連続したシートのペット用おむつカバーで、その組み立て時に胴部シートの前部がペットの首穴部を、胴部シートの後部と尻部シートの側面部とで後足穴部を構成し、胴部シートにその両側面で互いに仮着する上部係合部及び尻部シートの先端部とそれに対応する該胴部シートの後端部に互いに仮着する腰部係合部を設け、おむつカバーの穴部の周囲に伸縮部を設ける」構成としたものである。
【０００６】
しかしながら、実用新案登録第３０８１４８１号公報に開示のペット用おむつカバーは、ペット用おむつ自体のずれを防止し得るものではなく、引き綱部材がペットの腹部を締め付けてペットの体を必要以上に締め付けるおそれがある。また、特開２００６−２６２８８０号公報に開示のペット用おむつカバーは、ペットの体の略全体を覆うため、毛足の長いペットや夏場等では体温の上昇につながるおそれがある。
【０００７】
このため、本願出願人は、「ペットに容易に装着することができ、装着したときにペット用おむつやペット用シートをペットの体を必要以上に締め付けることなくペットの体に密着させ、ペット用おむつ自体のずれを防止するとともに、夏場や冬場の気象条件が厳しいときであっても、ペットが快適に過ごせることができるペット用おむつカバーを提供することを目的とする」ペット用おむつカバーを考案していて、実用新案登録第３１３５３１０号公報に開示されている。当該考案は、その構成を「ペットの尻部をペット用おむつの上からカバーしペットの尻尾が挿通される尻尾貫通孔を具えるおむつカバー部と、ペットの首部を囲繞する首カバー帯と、ペットの背側および腹側にあって前記おむつカバー部と前記首カバー帯とを連結する第１の連結帯と、ペットの背側および腹側にあって前記ペット用おむつと前記首カバー帯とを連結し該ペット用おむつをペットの頭部側に付勢する第２の連結帯とからなり、前記第２の連結帯は前記ペット用おむつに点ファスナーを介して着脱自在に係着される」こととしている。
【０００８】
また、本願出願人は、「ペットに容易に装着することができ、装着したときにペットの体に密着させ、ペット用おむつ自体のずれを防止するとともに、外出用としても使用でき、ペットの糞尿による汚れが生じた場合でも、容易に洗濯や交換できるペット用おむつカバーを提供する。」ことを目的とするペット用おむつカバーを発明していて、特許第４１９４０５３号公報に開示されている。当該発明は、「ペットの尻部をペット用おむつの上からカバーしペットの尻尾の付け根上部からペットの尻穴を通過して前方に延伸するおむつカバー切り欠き部を具えるおむつカバー部と、おむつカバー切り欠き部を着脱自在に被覆してペットの尻尾が貫通する尻尾貫通孔を形成する切り欠き部カバーと、ペットの首部を囲繞する首カバー帯と、ペットの背側および腹側にあっておむつカバー部と首カバー帯とを連結する連結帯と、ペットの背側および腹側にあってペット用おむつと首カバー帯とを連結しペット用おむつをペットの頭部側に付勢する付勢帯とからなる構成」としている。
【先行技術文献】
【特許文献】
【０００９】
【特許文献１】実用新案登録第３０８１４８１号公報
【特許文献２】特開２００６−２６２８８０号公報
【特許文献３】実用新案登録第３１３５３１０号公報
【特許文献４】特許第４１９４０５３号公報
【発明の概要】
【発明が解決しようとする課題】
【００１０】
ところで、ペット用おむつを四六時中装着することはかぶれの原因にもなることから、屋外で散歩する時にはペット用おむつを外すことも多い。しかしながら、実用新案登録第３１３５３１０号公報に開示のペット用おむつカバーは、ペット用おむつを外しペット用おむつカバーのみを装着させて屋外で散歩させたときには、ペットの糞尿による汚れが生じ、帰宅後にペット用おむつカバーを洗濯しなければならず、予備のペット用おむつカバーが必要になる。
一方、特許第４１９４０５３号公報に開示のペット用おむつカバーは、付勢帯をペット用おむつに取り付けるための貫通孔をペット用おむつに穿設することとしているため、貫通孔を探すことに時間が取られる場合があり、また、ペット用おむつを使用していることが外部から判別することができ、「見栄えが悪い」とペットの所有者が感じる場合がある。
【００１１】
そこで、本発明は、ペットに容易に装着することができ、装着したときに必要以上に締め付けることなくペット用おむつをペットの体に密着させ、ペット用おむつ自体のずれを防止することができ、外出用として使用したときでも見栄えが良く、ペットの糞尿による汚れが生じた場合でも洗濯や交換が容易なペット用おむつカバーを提供することを目的とする。
【課題を解決するための手段】
【００１２】
上記目的を達成するため、本願請求項１に係る二部式ペット用おむつカバーは、ペット用おむつおよび／またはペットの後半身を被包し、ペットの尻尾が貫通する尻尾貫通孔およびペットの後肢が貫通する後肢貫通孔を具える後半身カバーと、ペットの前半身を被包し、ペットの頭部が貫通する首部貫通孔およびペットの前肢が貫通する前肢貫通孔を具え、前記おむつカバー部に重ね合わされる前半身カバーと、前記ペット用おむつと前記前半身カバーとを連結する帯状の連結ベルトと、からなり、前記後半身カバーと前記前半身カバーとは着脱自在かつ重ね合わせ長さが調整可能に固着され、前記連結ベルトの連結長さは調整可能であってその一端は前記ペット用おむつの前縁部を挟持する挟持具を具えている、ことを特徴としている。
なお、ペット用おむつには、おむつとして使用されるペット用シートを含み、ペットの前半身とは頭部側の半身部をいい、ペットの後半身とは尻尾側の半身部をいい、ペット用おむつの前縁部とはペット用おむつをペットに装着したときに頭部側に位置する周縁部分をいう。
また、本願請求項２に係る二部式ペット用おむつカバーは、請求項１に記載の二部式ペット用おむつカバーであって、前記後半身カバーおよび前記前半身カバーはペットの背中側および／またはペットの腹側のそれぞれに固着された雌雄一対からなる係着子により互いに着脱自在に係着され、該係着子の係着位置を変えることにより該後半身カバーと該前半身カバーとの重ね合せ長さの調整が可能である、ことを特徴としている。
なお、雌雄一対からなる係着子としては、たとえば、面ファスナー、スナップ、ホック、ボタンとボタンホール等がある。
そして、本願請求項３に係る二部式ペット用おむつカバーは、請求項１または請求項２に記載の二部式ペット用おむつカバーであって、前記連結ベルトの他端は雌雄一対からなる係着子を介して前記前半身カバーの裏面に着脱自在に係着される、ことを特徴としている。
なお、前半身カバーの裏面とはペットの身体側の面をいう。
さらに、本願請求項４に係る二部式ペット用おむつカバーは、請求項１または請求項２に記載の二部式ペット用おむつカバーであって、前記連結ベルトの他端は前記前半身カバーに貫設された連結ベルト通し孔を貫通して雌雄一対からなる係着子を介して該前半身カバーの表面に着脱自在に係着されている、ことを特徴としている。
なお、前半身カバーの表面とはペットの身体側とは反対側の外部に面する部分をいう。
また、本願請求項５に係る二部式ペット用おむつカバーは、請求項１ないし請求項４のいずれかに記載の二部式ペット用おむつカバーであって、前記連結ベルトの他端は前記前半身カバーの裏面または表面に固着されたベルト通しを貫通して折り返されて該連結ベルト自体に雌雄一対からなる係着子を介して係着されるとともに連結長さが調整可能である、ことを特徴としている。
そして、本願請求項６に係る二部式ペット用おむつカバーは、請求項１ないし請求項４のいずれかに記載の二部式ペット用おむつカバーであって、前記連結ベルトの他端は前記前半身カバーの裏面または表面に固着された雌雄一対の係着子のいずれか一方と前記連結ベルトの他端に固着された雌雄一対の係着子のいずれか他方とが互いに係着されるとともに連結長さが調整可能である、ことを特徴としている。
さらに、本願請求項７に係る二部式ペット用おむつカバーは、請求項１ないし請求項６のいずれかに記載の二部式ペット用おむつカバーであって、前記連結ベルトは伸縮性のある材料で形成されている、ことを特徴としている。
また、本願請求項８に係る二部式ペット用おむつカバーは、請求項１ないし請求項７のいずれかに記載の二部式ペット用おむつカバーであって、少なくとも前記前半身カバーの首部貫通孔まわりは伸縮性のある材料で形成されている、ことを特徴としている。
【発明の効果】
【００１３】
本願発明は、上記構成により以下の効果を奏する。
（１）本願発明に係る二部式ペット用おむつカバーは、前半身カバーと後半身カバーとから構成され、前半身カバーは後半身カバーの前部分を被包するようになっているので、ペット用おむつの使用を外部から判別することができず、外出用として使用しても見栄えが良い。また、前半身カバーと後半身カバーの重ね合わせ長さが調整可能に固着されるので、体長の異なるペットにも使用でき、前半身カバーが捲り上がることもない。
（２）ペット用おむつと前半身カバーとを連結する連結ベルトの連結長さは調整可能であるため、ペットの体長に合わせることができ、装着したときに必要以上に締め付けることなくペット用おむつをペットの体に密着させ、ペット用おむつ自体のずれを防止することができる。この効果は、連結ベルトに伸縮性のある材料を使用した場合により大きくなる。また、連結ベルトの一端はペット用おむつの前縁部を挟持することとしているため、ペット用おむつに貫通孔を穿設する必要がなく、ペットの糞尿による汚れが生じた場合でも、簡単にペット用おむつを取り付けることができ、洗濯や交換が容易である。
（３）連結ベルトの他端を前半身カバーの裏面に係着する場合には、係着部分が外部から見えないため、本願発明に係るペット用おむつカバーのデザイン性が向上しさらに見栄えが良くなる。また、連結ベルトの他端を前半身カバーの表面に係着する場合には、係着部分が外部から確認できるとともに係着作業が容易になる。
（４）連結ベルトの他端を前半身カバーの裏面または表面に固着されたベルト通しを貫通させて折り返して係着するようにした場合には、極めて簡単な仕組みで連結ベルトの連結長さの調整が可能となる。
（５）前半身カバーの首部貫通孔まわりを伸縮性のある材料で形成した場合には、前半身カバーがペットの首部にぴったりとフィットして引き締まった印象を与える。さらに、首部貫通孔のみならず、前肢貫通孔、尻尾貫通孔および後肢貫通孔まわりを伸縮性のある材料で形成した場合には、前半身カバーや後半身カバーがペットにぴったりとフィットして、ペットの激しい動きにずれることがない。
【図面の簡単な説明】
【００１４】
【図１】図１は実施例に係る二部式ペット用おむつカバーの前半身カバーの使用状態を示す側面図である。
【図２】図２は前半身カバーの展開図である。
【図３】図３は後半身カバーの展開図である。
【図４】図４は連結ベルトの平面図である。
【発明を実施するための形態】
【００１５】
以下、本願発明を実施するための形態に係る実施例について、図１ないし図４に基づいて説明する。なお、以下の説明で、「上」、「下」、「左」、「右」とは、図２ないし図４における図面の各方向をいう。
【００１６】
図１ないし図４において、符号１は実施例に係る二部式ペット用おむつカバー、符号１０は前半身カバー、符号１１は前半身カバー本体、符号１３は首部貫通孔、符号１５は首部伸縮布、符号１７は前半身カバー本体・首部伸縮布縫着部、符号１９は胸部縫着部、符号２１は前肢貫通孔、符号２３はベルト通し、符号２５は腹側前半身カバー・後半身カバー雌型係着子、符号２７は背側前半身カバー・後半身カバー雌型係着子、符号３０は後半身カバー、符号３１は後半身カバー本体、符号３３は背側前半身カバー・後半身カバー雄型係着子、符号３５は後肢貫通孔回り縫着部、符号３７は後肢貫通孔、符号３９は腹側前半身カバー・後半身カバー雄型係着子、符号４１は尻部縫着部、符号４３は尻尾貫通孔、符号５０は連結ベルト、符号５１は連結ベルト本体、符号５３は挟着子、符号５５は連結ベルト雄型係着子、符号５７は連結ベルト雌型係着子、である。なお、符号イ、ロ、ハ、ニおよびホは縫着箇所を示すとともに、縫着部分については点線で示している。
【実施例】
【００１７】
まず、実施例に係る二部式ペット用おむつカバーの構成について、図１ないし図４を基に説明する。
【００１８】
二部式ペット用おむつカバー１は、主に、前半身カバー１０、後半身カバー３０、および２本の連結ベルト５０、５０から構成されていて、前半身カバー１０および後半身カバー３０はそれぞれ１枚の布を縫合して形成されている。
【００１９】
前半身カバー本体１１は、２つの２等辺台形の底辺同士を合わせたような左右対称の略六角形を呈していて、上辺は円弧状に抉られ、上部の左右辺である胸部縫着部１９は円弧状に膨らみ、その下部は胸部縫着部１９同士が縫着された後に２段の腹側前半身カバー・後半身カバー雌型係着子２５、２５を縫着するようになっている。そして、上部の左右辺の近傍には一対の前肢貫通孔２１、２１が前半身カバー本体１１の縦方向の中心線に対して左右対称の位置に貫設され、その下部には左右対称の位置に一対の帯状のベルト通し２３、２３が２段に縫着されている。さらに、下辺近傍の中央部には２段の背側前半身カバー・後半身カバー雌型係着子２７、２７が縫着されている。
【００２０】
そして、前半身カバー本体１１の円弧状に抉られた上辺には、前半身カバー本体・首部伸縮布縫着部１７、１７（符号イ同士）を縫合することにより、帯状の首部伸縮布１５が縫着される。なお、実施例では、伸縮性のある首部伸縮布１５をニット製としている。
【００２１】
上述したように、首部伸縮布１５が取り付けられ前半身カバー本体１１を縦方向の中心線に沿って谷折りして胸部縫着部１９（符号ロ同士）を縫着することにより首部貫通孔１３が形成される。そして、胸部縫着部１９が縫着された後に２段の腹側前半身カバー・後半身カバー雌型係着子２５、２５が縫着されて、前半身カバー１０が形成される。すなわち、図２において前半身カバー本体１１の中央部分が前半身カバー１０の背側となり、両端部分が腹側となり、上部が頭部側となり、下部が尻尾側となる。
なお、実施例では雌型係着子に雌型面ファスナーを使用している。
【００２２】
後半身カバー本体３１は、両腕を斜め上方に広げた人形の上半身のような形状を呈している。そして、頭に該当する部分は略矩形となっていて上端部には腹側前半身カバー・後半身カバー雄型係着子３９が縫着されてペットの腹側で前半身カバー１０に係着する腹側前半身カバー係着部が形成され、首に該当する左右の抉れた部分と両腕に該当する内側の部分で囲まれた空間が後肢貫通孔３７、３７を形成するようになっている。
【００２３】
さらに、後半身カバー本体３１の下端部は「ハ」の字のように下方に向かって開いていて、「ハ」の字の頂点に当たる部分には略円形に抉られたようになっている。この略円形に抉られた空間部分が尻尾貫通孔４３を形成するようになっている。そして、後半身カバー本体３１の下端部の「ハ」の字のように開いた先端には背側前半身カバー・後半身カバー雄型係着子３３、３３が縫着されて、ペットの背側で前半身カバー１０に係着する背側前半身カバー係着部が形成されるようになっている。
【００２４】
この後半身カバー本体３１を縦方向の中心線に沿って山折りして、後半身カバー本体３１の腹側前半身カバー係着部の左右辺下部に位置する後肢貫通孔回り縫着部３５、３５、および後半身カバー本体３１の両腕の先端部分の後肢貫通孔回り縫着部３５、３５、の対応する箇所（符号ハ同士および符号ニ同士）を縫着することにより、上述した後肢貫通孔３７、３７が形成される。さらに、後半身カバー本体３１の「ハ」の字のように開いた下端部の尻部縫着部４１、４１（符号ホ同士）を縫着することにより、上述した尻尾貫通孔４３が形成されるとともに、後半身カバー３０が形成される。すなわち、図３において後半身カバー本体３１の中央部分が後半身カバー３０の腹側となり、両端部分が背側となり、上部が頭部側となり、下部の両側が尻尾側となる。また、腹側前半身カバー係着部および背側前半身カバー係着部は、後半身カバー３０の前縁部よりも頭部側に延伸していて、前半身カバー１０に係着し易いようになっている。
なお、実施例では雄型係着子に雄型面ファスナーを使用している。
【００２５】
細長帯状の連結ベルト本体５１の下半分は二股に分かれていて、それぞれの先端には挟着子５３が固着され、上半分の上部には連結ベルト雄型係着子５５が固着されるとともにその下部には連結ベルト雌型係着子５７が固着されて、連結ベルト５０が形成される。実施例では、挟着子５３にはクリップが使用され、雄型係着子には雄型面ファスナーが使用され、雌型係着子には雌型面ファスナーが使用されている。
【００２６】
連結ベルト雌型係着子５７の長さは連結ベルト雄型係着子５５の長さよりも長く、連結ベルト５０の上端部を前半身カバー１０のベルト通し２３に通した後に谷折りして折り返し（図４の折り返し線）、連結ベルト雄型係着子５５を連結ベルト雌型係着子５７に係着したときに、連結ベルト５０の長さを調整できるようになっている。
【００２７】
つぎに、二部式ペット用おむつカバー１の使用例について説明する。
【００２８】
ペットに二部式ペット用おむつカバー１を装着させる手順例は、以下の通りである。
（１）ペットの頭部および前肢をそれぞれ前半身カバー１０の首部貫通孔１３および前肢貫通孔２１、２１に挿入して、前半身カバー１０をペットに装着する。
（２）図示外のペット用おむつまたはペット用シート（上述したように、ペット用おむつには、ペット用おむつの代替として使用されるペット用シートも含んでいることから、以下、単に「ペット用おむつ」という。)をペットの尻部に装着する。このペット用おむつはいずれも市販されているものを使用するが、ペット用シートの場合には、ペットの大きさに合わせて略方形にカットし、ペットの尻尾が貫通する孔を開けて使用する。
（３）装着したペット用おむつの前縁部を連結ベルト５０の一端にある挟着子５３で挟着し、連結ベルト５０の他端をベルト通し２３に通した後に折り返して、連結ベルト雄型係着子５５を連結ベルト雌型係着子５７に係着する。この際、ベルト通し２３は前後方向に２箇所固着されているので、ペットの体長に合ったベルト通し２３を選択する。
（４）ペットの尻尾および後肢をそれぞれ尻尾貫通孔４３および後肢貫通孔３７、３７に挿入して、後半身カバー３０をペットに装着する。
（５）後半身カバー３０の背側前半身カバー・後半身カバー雄型係着子３３を前半身カバー１０の背側前半身カバー・後半身カバー雌型係着子２７に係着させ、後半身カバー３０の腹側前半身カバー・後半身カバー雄型係着子３９を前半身カバー１０の腹側前半身カバー・後半身カバー雌型係着子２５に係着させる。この際、背側前半身カバー・後半身カバー雌型係着子２７および腹側前半身カバー・後半身カバー雌型係着子２５はそれぞれ前後方向に２箇所固着されているので、ペットの体長に合った背側前半身カバー・後半身カバー雌型係着子２７や腹側前半身カバー・後半身カバー雌型係着子２５を選択する。
【００２９】
上記の手順により、ペットに二部式ペット用おむつカバー１を装着することができるが、上記手順を逆に行うことにより、ペットに二部式ペット用おむつカバー１をペットから脱がせることができる。また、外出時にペット用おむつを外して二部式ペット用おむつカバー１のみを装着するときには、上記の手順（２）および（３）を省略すれば良い。
【００３０】
なお、実施例では、連結ベルト５０の他端を前半身カバー１０の裏面に固着したベルト通し２３を介して係着するようにしているが、ベルト通し２３を介することなく、直接的に前半身カバー１０の裏面に固着した係着子に係着してもよく、さらには、前半身カバー１０に連結ベルト通し孔を貫設し、その連結ベルト通し孔に連結ベルト５０を貫通させた後、前半身カバー１０の表面で係着するようにしても良い。
【符号の説明】
【００３１】
１  実施例に係る二部式ペット用おむつカバー
１０  前半身カバー
１３  首部貫通孔
１５  首部伸縮布
２１  前肢貫通孔
２３  ベルト通し
２５  腹側前半身カバー・後半身カバー雌型係着子
２７  背側前半身カバー・後半身カバー雌型係着子
３０  後半身カバー
３３  背側前半身カバー・後半身カバー雄型係着子
３７  後肢貫通孔
３９  腹側前半身カバー・後半身カバー雄型係着子
４３  尻尾貫通孔
５０  連結ベルト
５３  挟着子
５５  連結ベルト雄型係着子
５７  連結ベルト雌型係着子
【図１】
2011109946.tif 000003
【図２】
2011109946.tif 000004
【図３】
2011109946.tif 000005
【図４】
2011109946.tif 000006
【手続補正書】
【提出日】平成22年3月10日(2010.3.10)
【手続補正１】
【補正対象書類名】特許請求の範囲
【補正対象項目名】請求項５
【補正方法】変更
【補正の内容】
【請求項５】
前記連結ベルトの他端は前記前半身カバーの裏面または表面に固着されたベルト通しを貫通して折り返されて該連結ベルト自体に雌雄一対からなる係着子を介して係着されるとともに連結長さが調整可能である、ことを特徴とする請求項１または請求項２に記載の二部式ペット用おむつカバー。
【手続補正２】
【補正対象書類名】明細書
【補正対象項目名】００１２
【補正方法】変更
【補正の内容】
【００１２】
上記目的を達成するため、本願請求項１に係る二部式ペット用おむつカバーは、ペット用おむつおよび／またはペットの後半身を被包し、ペットの尻尾が貫通する尻尾貫通孔およびペットの後肢が貫通する後肢貫通孔を具える後半身カバーと、ペットの前半身を被包し、ペットの頭部が貫通する首部貫通孔およびペットの前肢が貫通する前肢貫通孔を具え、前記おむつカバー部に重ね合わされる前半身カバーと、前記ペット用おむつと前記前半身カバーとを連結する帯状の連結ベルトと、からなり、前記後半身カバーと前記前半身カバーとは着脱自在かつ重ね合わせ長さが調整可能に固着され、前記連結ベルトの連結長さは調整可能であってその一端は前記ペット用おむつの前縁部を挟持する挟持具を具えている、ことを特徴としている。
なお、ペット用おむつには、おむつとして使用されるペット用シートを含み、ペットの前半身とは頭部側の半身部をいい、ペットの後半身とは尻尾側の半身部をいい、ペット用おむつの前縁部とはペット用おむつをペットに装着したときに頭部側に位置する周縁部分をいう。
また、本願請求項２に係る二部式ペット用おむつカバーは、請求項１に記載の二部式ペット用おむつカバーであって、前記後半身カバーおよび前記前半身カバーはペットの背中側および／またはペットの腹側のそれぞれに固着された雌雄一対からなる係着子により互いに着脱自在に係着され、該係着子の係着位置を変えることにより該後半身カバーと該前半身カバーとの重ね合せ長さの調整が可能である、ことを特徴としている。
なお、雌雄一対からなる係着子としては、たとえば、面ファスナー、スナップ、ホック、ボタンとボタンホール等がある。
そして、本願請求項３に係る二部式ペット用おむつカバーは、請求項１または請求項２に記載の二部式ペット用おむつカバーであって、前記連結ベルトの他端は雌雄一対からなる係着子を介して前記前半身カバーの裏面に着脱自在に係着される、ことを特徴としている。
なお、前半身カバーの裏面とはペットの身体側の面をいう。
さらに、本願請求項４に係る二部式ペット用おむつカバーは、請求項１または請求項２に記載の二部式ペット用おむつカバーであって、前記連結ベルトの他端は前記前半身カバーに貫設された連結ベルト通し孔を貫通して雌雄一対からなる係着子を介して該前半身カバーの表面に着脱自在に係着されている、ことを特徴としている。
なお、前半身カバーの表面とはペットの身体側とは反対側の外部に面する部分をいう。
また、本願請求項５に係る二部式ペット用おむつカバーは、請求項１または請求項２に記載の二部式ペット用おむつカバーであって、前記連結ベルトの他端は前記前半身カバーの裏面または表面に固着されたベルト通しを貫通して折り返されて該連結ベルト自体に雌雄一対からなる係着子を介して係着されるとともに連結長さが調整可能である、ことを特徴としている。
そして、本願請求項６に係る二部式ペット用おむつカバーは、請求項１ないし請求項４のいずれかに記載の二部式ペット用おむつカバーであって、前記連結ベルトの他端は前記前半身カバーの裏面または表面に固着された雌雄一対の係着子のいずれか一方と前記連結ベルトの他端に固着された雌雄一対の係着子のいずれか他方とが互いに係着されるとともに連結長さが調整可能である、ことを特徴としている。
さらに、本願請求項７に係る二部式ペット用おむつカバーは、請求項１ないし請求項６のいずれかに記載の二部式ペット用おむつカバーであって、前記連結ベルトは伸縮性のある材料で形成されている、ことを特徴としている。
また、本願請求項８に係る二部式ペット用おむつカバーは、請求項１ないし請求項７のいずれかに記載の二部式ペット用おむつカバーであって、少なくとも前記前半身カバーの首部貫通孔まわりは伸縮性のある材料で形成されている、ことを特徴としている。